(57)【特許請求の範囲】
【請求項１】
相互接続された１つ以上のバッテリーモジュールを収容するバッテリーケーシングであって、
前記バッテリーケーシング（１）は、高強度でかつ剛性の構造要素として構成されており、
前記バッテリーケーシング（１）の壁部要素はそれぞれ二重壁のように、すなわち内壁（４）及び離間して配置された外壁（２）を伴ったサンドイッチ構造で構成されており、
前記内壁（４）と前記外壁（２）との間に介在空間が配置され、前記介在空間にはそれぞれ均等なクラッシュ耐性を備えた多孔性の支持材料（３）が充填され、引き続き真空化され、さらに前記内壁（４）と前記外壁（２）との間の前記介在空間内にそれぞれ冷却要素（６）として、相互に平行に延在している複数の冷却チャネル（６）が前記内壁（４）に組み込まれ、
前記バッテリーケーシング（１）は可逆的に完全にカプセル化されており、すなわちメンテナンスの際には片側が開放され、続いて再度閉鎖可能でかつ新たに真空化可能であり、
潜在的蓄熱要素（７）が、前記内壁（４）に接触し、かつ、前記多孔性の支持材料（３）に一体化されており、及び、潜在的蓄熱要素（７）が、前記冷却要素（６）の冷却液内に組み込まれており、
前記バッテリーケーシング（１）は、前記バッテリーケーシング（１）の内部温度に関する熱管理を実現するために、開ループ制御装置及び／又は閉ループ制御装置を備えており、前記潜在的蓄熱要素（７）から熱放出する場合には、前記冷却要素（６）による冷却を行わず、
前記バッテリーケーシング（１）は、可逆的に完全にカプセル化されており、すなわち、メンテナンスの際には一面が開放され、引き続き再度閉鎖可能でかつ新たに真空化可能であり、前記バッテリーケーシング（１）の壁部要素の開放と閉鎖は、前後に配置されている、エラストマー系で封止されたフランジ又は盲フランジを介して、前記内壁（４）及び前記外壁（２）毎にそれぞれ１つが実現可能であり、前記バッテリーケーシング（１）の新たな真空化は、前記外壁（２）に溶接されており、かつ適切なロッキングシステムに接続されている真空ポート（１５）を介して実施可能である、
バッテリーケーシング。
【請求項２】
相互接続された１つ以上のバッテリーモジュールを収容するバッテリーケーシングであって、
前記バッテリーケーシング（１）は、高強度でかつ剛性の構造要素として構成されており、
前記バッテリーケーシング（１）の壁部要素はそれぞれ二重壁のように、すなわち内壁（４）及び離間して配置された外壁（２）を伴ったサンドイッチ構造で構成されており、
前記内壁（４）と前記外壁（２）との間に介在空間が配置され、前記介在空間にはそれぞれ均等なクラッシュ耐性を備えた多孔性の支持材料（３）が充填され、引き続き真空化され、さらに前記内壁（４）と前記外壁（２）との間の前記介在空間内にそれぞれ冷却要素（６）として、相互に平行に延在している複数の冷却チャネル（６）が前記内壁（４）に組み込まれ、
前記バッテリーケーシング（１）は可逆的に完全にカプセル化されており、すなわちメンテナンスの際には片側が開放され、続いて再度閉鎖可能でかつ新たに真空化可能であり、
潜在的蓄熱要素（７）が、前記内壁（４）に接触し、かつ、前記多孔性の支持材料（３）に一体化されており、及び、潜在的蓄熱要素（７）が、前記冷却要素（６）の冷却液内に組み込まれており、
前記バッテリーケーシング（１）は、前記バッテリーケーシング（１）の内部温度に関する熱管理を実現するために、開ループ制御装置及び／又は閉ループ制御装置を備えており、前記潜在的蓄熱要素（７）から熱放出する場合には、前記冷却要素（６）による冷却を行わず、
前記バッテリーケーシング（１）の内壁（４）及び外壁（４及び２）は、それぞれ、フランジシーム（１６）を介して相互に接続されており、前記フランジシーム（１６）は次のように構成されている、すなわち、接続領域が繰り返し分離可能でかつ再接続可能であるように構成されており、前記バッテリーケーシング（１）の新たな真空化は、前記バッテリーケーシング（１）の前記外壁（２）に溶接されており、かつ適切なロッキングシステムに接続されている真空ポート（１５）を介して実施可能である、
バッテリーケーシング。
【請求項３】
前記冷却要素は、前記内壁（４）内部に配設されるか、及び／又は、前記内壁（４）と前記外壁（２）との間の前記介在空間内で前記内壁（４）に隣接して配設されている、
請求項１または２記載のバッテリーケーシング。
【請求項４】
前記冷却要素は、上位の冷却システムと接続されており、前記接続のために必要な接続部は、各冷却要素まで真空気密に前記バッテリーケーシング内に引き入れられる、
請求項１から３のいずれか１項記載のバッテリーケーシング。
【請求項５】
前記多孔性の支持材料（３）内へ水素化物蓄積材料又は加熱可能なゲッタが次のように組み込まれている、すなわち、所定の温度レベルを上回った場合に、水素が前記支持材料（３）内へ注入され、これによって前記支持材料（３）の熱伝導性が顕著に高まる、
請求項１から４のいずれか１項記載のバッテリーケーシング。
【請求項６】
前記バッテリーケーシング（１）の前記介在空間内に、潜在的蓄熱要素（７）が組み込まれており、及び／又は、潜在的蓄熱要素（７）が、カプセル化された微細要素として前記冷却要素（６）の冷却液に組み込まれている、
請求項１から５のいずれか１項記載のバッテリーケーシング。
【請求項７】
前記潜在的蓄熱要素（７）には、相変化材料が充填されているか又は全体的にこの種の材料からなっている、
請求項６記載のバッテリーケーシング。
【請求項８】
前記潜在的蓄熱要素（７）の材料特性は、次のように選択されている、すなわち前記潜在的蓄熱要素（７）は、所定の温度レベルを上回った場合に自動的に熱を蓄積し、より低い別の所定の温度レベルを下回った場合に、自動的に熱を放出する、
請求項６または７記載のバッテリーケーシング。
【請求項９】
前記開ループ制御装置及び／又は前記閉ループ制御装置を用いて、前記バッテリーケーシング（１）の遮熱が、前記内壁（４）と前記外壁（２）との間の前記介在空間の前記支持材料（３）内に組み込まれている水素化物蓄積材料又はゲッタの開ループ制御及び／又は閉ループ制御された加熱を介して開ループ制御可能及び／又は閉ループ制御可能である、
請求項６から８のいずれか１項記載のバッテリーケーシング。
【請求項１０】
前記開ループ制御装置及び／又は前記閉ループ制御装置には、車両のそのつどの走行状態を検出するセンサ系が設けられ、それによって前記熱管理が現下のバッテリー状況及び／又は車両状況に依存して開ループ制御及び／又は閉ループ制御される、
請求項６から９のいずれか１項記載のバッテリーケーシング。
【請求項１１】
前記バッテリーケーシング（１）は、完全にカプセル化されて構成されている、
請求項１から１０のいずれかに記載のバッテリーケーシング。
【請求項１２】
電気的なリード線路、測定線路、冷却液供給管路が、薄壁管路又はベローズ（１９）を用いて真空気密に前記バッテリーケーシング（１）内へ案内されている、
請求項１から１１のいずれか１項記載のバッテリーケーシング。
【発明の詳細な説明】
【技術分野】
【０００１】
本発明はバッテリーケーシングに関する。
【背景技術】
【０００２】
バッテリーケーシングへの要求はかなり多様である。移動手段での適用、すなわち、自動車分野などにおける場合、ケーシング内に収容されるバッテリーセル又はバッテリーモジュールは、一方では通常の走行動作時の揺動負荷に対して、また他方では、事故のケースで車両乃至場合によりバッテリーケーシングが損傷を受ける場合に対しても、機械的に保護されなければならない。さらに、多くの国々で、損傷時にバッテリー液又は反応生成物が流出したり、反応生成物が新たに形成されたりするのを防止するために、バッテリーセルの完全なカプセル化が所望されている。最近では、カプセル化部は、特に車両分野において重要な防炎剤にも用いられている。
【０００３】
特に、電気式移動手段の増大に関連して、こうしたバッテリーケーシングに対し、使用されるバッテリーの寿命及び出力の双方を改善したいという付加的な要求も課されている。今日既に、バッテリー内で進行する電気化学プロセスが凍結しないよう、バッテリーケーシングに収容されているバッテリーセルが過度に冷却されないことが保証されていなければならない。また、バッテリーケーシングは、バッテリーの急速充電プロセスの実行中又はバッテリーからのエネルギー調達が増大される場合などに発生する不要な熱をできるだけ確実に放出させる必要がある。まとめると、これらは、今日の要求を満足するバッテリーケーシングにおいて温度を平均的な許容領域内に維持すべきこと、すなわち、バッテリーケーシングにおいて定義された下方の温度閾値及び上方の温度閾値の双方が超過されないようにすべきことを意味する。したがって、将来的には、インテリジェントな熱管理を行えるインテリジェントなバッテリーケーシングを設ける必要がある。
【０００４】
従来技術から、個々のバッテリーセルをグループ化して接続し、複数のモジュールにまとめることが公知である。こうしたモジュールは、大抵の場合に予成形されたポリスチロールケーシングである単純な熱絶縁部を備えている。熱放出のために、このケーシングでは、個々のセル間に、冷却水が通流する複数の冷却プレートが統合される。ふつう、自動車分野では、こうしたモジュールが複数個接続されて全体バッテリーが形成される。なお、こうした全体バッテリーは、一方で当該全体バッテリーの車両内での固定を保証し、他方で必要な衝突安全性を得るために、槽状のバッテリーケーシングに取り付けられることが多い。
【０００５】
このために、独国特許出願公開第４０１３２６９号明細書から、車両のバッテリーモジュールを収容するバッテリーケーシングが公知である。当該バッテリーケーシングは堅固な構造部材として構成されており、バッテリーケーシングの壁部要素はそれぞれ二重壁であって、つまり、内壁とこの内壁から離間して配置された外壁を伴ったサンドイッチ構造で形成されている。こうした構成では、内壁と外壁との間の介在空間は、それぞれ多孔性の絶縁材料によって充填され、続いて真空化される。ただし、多孔性の絶縁材料が耐圧性を有するように形成されているかどうかは疑わしく、このため、公知のバッテリーケーシングが必要な衝突安全性を備えていることは保証されない。通常、バッテリーを形成する複数の蓄積セルの、潜在的蓄熱材料によって実現される冷却部は、バッテリーケーシングの壁内には設けられない。むしろ、冷却に使用される潜在的蓄熱材料は、蓄積セル間の介在空間に配置される。
【０００６】
欧州特許出願公開第０５８８００４号明細書からは、車両のバッテリーモジュールを収容する別のバッテリーケーシングが公知である。ここでも、バッテリーケーシングは、堅固な構造部材として構成されている。バッテリーケーシングの壁部要素はそれぞれ二重壁であって、つまり、同様に、内壁とこの内壁から離間して配置された外壁とを伴ったサンドイッチ構造で形成されている。内壁と外壁との間の介在空間には多孔性の支持材料が充填されている。冷却に用いられる冷却要素も同様に介在空間に配置されている。ただし、当該冷却要素は、内部に配置されるバッテリーセルに不可逆に接続されたケーシングであり、このケーシングは、外側から内側へ向かって絶縁層及び蓄熱層及び冷却層を含むように層状構造体として製造される。
【０００７】
これに関連して、独国特許第１０３１９３５０号明細書からは、車両用、特に自動車用のバッテリーボックスモジュールが公知である。これは、車両バッテリーを収容するための機械的にローバストなボックスと、このボックスを閉じるための取り外し可能なカバーとから成る。当該ボックスは、熱通過状態と熱絶縁状態との間で切り換え可能な真空遮熱部を備えた槽状の二重壁構造を有している。ここで、モジュールは、付加的に、真空遮熱部の切り換えを制御する電子制御部を有している。
【０００８】
バッテリーボックスモジュールの槽状構造は、少なくとも少量であれば、浸出するバッテリー酸性液を捕捉するのに役立つ。
【０００９】
切り換え可能な真空遮熱部とは、真空遮熱部が非切り換えの状態又は通電なしの状態にある場合に、バッテリーケーシングの絶縁状態が維持されて、バッテリーの熱絶縁が達成されることであると理解されたい。付加的に、真空遮熱部をバッテリー温度及び／又は周囲温度及び／又は電流強度その他の外的要求に依存して切り換えることにより、熱通過状態へ切り換えることができる。このために、バッテリーボックスの二重壁には、活性化可能な材料が配置され、これは、公知のバッテリーボックスモジュールの二重壁に、遮熱材料、例えばテンパリングされたガラスファイバボードが埋め込まれ、さらに、内室が真空化されることで、低い熱伝導性が形成されるものであると理解されたい。付加的に、金属水素化物のゲッタが遮熱部内に統合される。当該ゲッタは、約１００℃を下回る温度で水素を蓄積するように構成されている。よって、ゲッタが加熱されると、真空遮熱部に水素雰囲気が発生する。これにより、ガラスファイバボードに関連して、熱伝導性が大きく増大する。この場合、当該状態を真空遮熱部の通過状態と称する。
【先行技術文献】
【特許文献】
【００１０】
【特許文献１】独国特許出願公開第４０１３２６９号明細書
【特許文献２】欧州特許出願公開第０５８８００４号明細書
【特許文献３】独国特許第１０３１９３５０号明細書
【発明の概要】
【発明が解決しようとする課題】
【００１１】
従来技術から出発して、本発明の範囲においては、多機能のバッテリーケーシングの使用を提案する。本発明のバッテリーケーシングは、従来技術に対して構造的に改善されており、特に、バッテリーケーシング内に収容されたバッテリーモジュールの熱管理の改善が達成される。
【課題を解決するための手段】
【００１２】
このために、本発明では、個々のバッテリーモジュールの個別ハウジングを省略できるよう、相互に接続された１つもしくは複数のバッテリーモジュールを収容可能なバッテリーケーシングを提案する。当該バッテリーケーシング自体は、高耐性を有し、堅固な構造部材として形成されるので、その点のみにおいても、特に自動車分野で必要とされる衝突安全性及び揺動への保護は達成される。この場合、バッテリーモジュールそれぞれに対する容量の大きな遮熱部は省略できる。ケーシングの耐性が高いため、個々のバッテリーモジュールをケーシング内でコンパクトに中央部に固定できる。加速力及び重力などが発生しても、これらは内部でケーシング構造へ伝わり、付加的な支持要素もしくは担持要素を設けることなく、壁部を介して車両の固定点へ伝達できる。従来技術とは異なり、ふつうは、バッテリーケーシングの壁部要素に付加的に冷却要素が統合され、これにより、必要に応じて、バッテリーボックスケーシングを通した不要熱の放出が可能となるか又は支援される。
【００１３】
具体的な実施形態では、冷却要素は、例えば、バッテリーケーシングの内壁へ統合される冷却チャネル、又は、少なくとも壁間の介在空間のうち内壁に隣接する領域に配置される冷却チャネルである。これにより、冷却要素を配置することによる冷却効果がケーシングに収容されるバッテリーモジュールの直接近傍で向上することが保証される。
【００１４】
別の実施形態では、当該冷却要素は、上位の冷却システム、例えば車両の冷却システムに接続されるが、この接続部は、バッテリーケーシングの真空絶縁の維持のために、真空密にバッテリーケーシング内に引き入れられる。これにより、とりわけバッテリーケーシングに対して付加的な冷却システムを用意せずに済み、さらに、バッテリーケーシングの冷却の中央制御、例えば、そのつどの車両特性に依存した中央制御を行う必要もなくなる。したがって、例えば、機関出力に基づいて、又は、車両の実際のエネルギー必要量に基づいて、ケーシング内に収容されるバッテリーモジュールの温度上昇が予測される場合に、バッテリーケーシングの冷却をスイッチオンできる。
【００１５】
二重壁のバッテリーケーシングでは、それぞれ内壁と外壁との間の介在空間に多孔性の支持材料が充填されるが、この支持材料には水素化物蓄積材料もしくはゲッタが統合される。バッテリーケーシング内に収容されたバッテリーに極端な負荷がかかった場合、生じた余熱の大部分はケーシング表面全体を介して放出される。所定の温度レベルが情報超過されたり、又は、統合された水素化物蓄積材料もしくはゲッタが加熱されたりすると、水素もしくは他の適切な気体が支持材料内へ放出されて、支持材料の熱伝導性が著しく高まるので、この場合、ケーシング内に収容されたバッテリーモジュールの冷却を目的としたバッテリーケーシングによる放熱が可能となる。これにより、相応の構成では、所定の温度レベルに達すると、二重壁のバッテリーケーシングの介在空間内で支持されている真空絶縁部ＧＶＩが自動的に熱通過状態へ移行するという、受動的な熱伝導システムが実現される。
【００１６】
さらに有利な実施形態では、付加的に、バッテリーケーシングの介在空間すなわち多孔性の支持材料に、潜在的蓄熱要素が統合されるか、又は、これに代えてもしくはこれに加えて、潜在的蓄熱要素が、特にはマイクロカプセルに封入された要素として、冷却要素の冷却液に統合される。これにより、不要熱などは、能動的な冷却部を必要とせずに、さしあたり上述した蓄熱部へ熱が放出される。逆に、周囲温度が低い場合には、不要熱はバッテリーの加熱、場合により、車両キャビンの加熱に利用される。潜在的蓄熱要素が直接に冷却液に統合される場合にも、このために特に付加的な要素をバッテリーケーシング内に設ける必要はない。
【００１７】
具体的な実施形態として、蓄熱要素に、相変化材料、いわゆるフェーズチェンジマテリアルＰＣＭが充填される。相変化材料とは、周囲温度に依存してまずは熱を吸収し、周囲温度が所定の温度レベルを下回って低下すると吸収した熱を再放出する材料である。したがって、この場合も、周囲温度に依存して熱を吸収及び放出し、バッテリーケーシング内に収容されたバッテリーモジュールの冷却及び加熱の双方に利用できる受動システムが得られる。
【００１８】
有利な実施形態では、本発明のバッテリーケーシングには、付加的に、ケーシング内部温度に関する熱管理を実現するための開ループ制御装置及び／又は閉ループ制御装置が設けられる。これにより、例えば、潜在的蓄熱要素から熱が放出されている間、バッテリーケーシング内に収容されているバッテリーモジュールが加熱され、同時に、ケーシングに統合されている冷却要素の冷却が遮断されることが保証される。
【００１９】
別の実施形態では、上述した開ループ制御装置及び／又は閉ループ制御装置により、介在空間に収容されている支持材料又は支持材料に統合されている水素化物蓄積材料もしくはゲッタの意図的な加熱も行われる。これにより、ケーシングの真空遮熱部は、通過状態へ切り換えられるか、又は、加熱の遮断によって再活性化される。
【００２０】
熱管理の他の実施形態では、統合されている開ループ制御装置および／または閉ループ制御装置にセンサ系を設けることができる。このセンサ系は、車両のそのときどきの車両状態、すなわち殊に車両の現下のエンジン出力および／または現下の燃費を検出する、ないしは、バッテリーケーシングの内部温度を検出する。従って、本発明のバッテリーケーシングの内部温度は、現下のバッテリー状況および／または車両状況に依存して開ループ制御ないし閉ループ制御される。
【００２１】
ここで、有利な実施形態に従ったバッテリーケーシングは、完全にカプセル化されて構成可能である。
【００２２】
しかし択一的に、バッテリーケーシングが可逆的に完全にカプセル化されている実施形態も可能である。すなわち、例えばメンテナンスの際、場合によってはケーシングの１つの面を開け、その後、再び閉めることができる。これによって再び真空化され、このようにして真空遮熱部を再構築することができる。このために、バッテリーケーシングは、開けられるべき壁部材の領域において、連続して配置されている２つのフランジを介して、すなわち内壁用の１つのフランジと、外壁用の１つのフランジとを介して、密閉されている。
【００２３】
択一的に、バッテリーケーシングの内壁と外壁を、フランジが付けられている要素を介して相互に接続することもできる。ここでこれらのフランジが付けられている要素は、接続領域が繰り返し分離可能でかつ再接続可能であるように構成されている。バッテリーケーシングを開け、再び閉めた後に必要となる真空化は、バッテリーケーシングの外壁内に統合された真空ポートを介して、適切なロッキングシステムとともに実施される。このようにしても、バッテリーケーシングを必要に応じて開けることが可能になる。これは例えば、故障を伴ったバッテリーモジュールを取り出して、交換するための開放である。
【００２４】
他の択一的な実施形態では、バッテリーケーシングは２つの部分で、すなわち別個の２つのハーフシェルの形態でも形成可能である。これら２つのハーフシェルは、自身の当接エッジにおいて、相互に力結合によって接続されている。ここで、接続に関与しているハーフシェルの当接エッジ間の接続形成は、理想的には、シール要素の介在層を介して行われ、この領域においても、バッテリーケーシングの遮熱が保持される。
【００２５】
閉鎖されたバッテリーケーシングを複数のハーフシェルからモジュール様式で構築するこの着想の有利な発展形態では、複数の円筒状のハーフシェルが上述のように相互に接続される。ここではバッテリーケーシングの２つの外面にだけ、片側のみが開放されるハーフシェルが接続される。従ってここでも、全体として、完全に閉鎖されたバッテリーケーシングが形成される。ここで個々のハーフシェルは、適切な接続要素によって力結合によって相互接続される。
【００２６】
このようなモジュール様式で構築されたバッテリーケーシングの場合には、相互に接続されるべきハーフシェルの当接セッジの領域に、有利には相応する差込み連結部が設けられており、これによって、ハーフシェルを例えば共通の冷媒供給部、組み込まれている加熱要素用の電気的なリード線路等に接続することができる。
【００２７】
ここで個々のハーフシェルも、統合されている真空ポートを介して、適切なロッキングシステムを用いて、必要に応じて開けられ、これに続く再度の真空化後に再び、閉じられる。例えば、このようにして、メンテナンス作業を実施することができる。
【００２８】
さらに、必要な全ての電気的なリード線路、加熱用線路、測定線路または冷却液供給管路等は、薄壁管路またはベローズを用いて真空密に、バッテリーケーシングの内壁および外壁と接続されている。
【００２９】
本発明を以下で、図示された実施例に基づいて、より詳細に説明する。
【図面の簡単な説明】
【００３０】
【図１】全面が閉鎖されている、二重壁構造のバッテリーケーシングの斜視図
【図２】図１に示されたケーシングの、図１においてＩＩで示された長手方向断面
【図３】図２に示されたバッテリーケーシングの、図２においてＩＩＩで示された細部の長手方向断面
【図４】図２に示されたバッテリーケーシングの、図２においてＩＶで示された細部の長手方向断面
【図５】開けられるべき壁部が設けられているバッテリーケーシングの長手方向断面
【図６】バッテリーケーシングの、図５においてＶＩで示された細部の長手方向断面
【図７】２つのハーフシェルから構築されているバッテリーケーシングの長手方向断面
【実施例】
【００３１】
図１は、バッテリーケーシング１を示している。バッテリーケーシングは、１つまたは複数の、相互に接続される（しかし図面においては詳細には示されていない）バッテリーモジュールを収容する。バッテリーケーシング１は、全面で、閉じた外壁２によって包囲されている。ここでバッテリーケーシング１の壁部は、図中に挿入されている断面図によれば、二重壁で、次のように形成されている。すなわち内壁側で、外壁２に、いわゆる支持されている真空絶縁部（略してＧＶＩ）を形成する多孔性の支持材料３が続くように形成されている。この真空絶縁部はここで、バッテリーケーシング１の内部空間に対して、内壁４によって隔絶されている。
【００３２】
外壁２と内壁４との間の介在空間を満たす多孔性の支持材料３としては、例えば熱圧接によって圧縮されたガラスファイバーから製造されるファイバーボードが考えられる。または、マイクロ−中空ガラス球等の注入可能な充填材または連続気泡の発泡ガラス粒質物が考えられる。付加的に、介在空間は、バッテリーケーシング製造過程において真空化される。従って、これは高性能の真空絶縁部である。図１に示された部分では、バッテリーケーシング１内で、内壁４に、バッテリーケーシング１内に収容されているバッテリーモジュールのセルブロック５が続いている。ここでこのバッテリーケーシング１内には、完全に、相互に接続される複数のセルブロックないしバッテリーモジュールが収容可能である。
【００３３】
図２は、図１に示されたバッテリーケーシングを長手方向断面図で示している。この図から、個々のセルブロック５の間に、付加的に冷却リブ１２が、バッテリーケーシング１内に組み込まれ得ることが明らかである。冷却リブ１２ないしはバッテリーケーシング１内に全体的に配置された冷却要素に冷却液を供給するために、外壁２は、冷媒をバッテリーケーシング１内に誘導するための真空密の貫通部を有している。バッテリーケーシング１が車両内に配置されている場合には、冷媒は車両の冷却設備から供給される。
【００３４】
図３は、バッテリーケーシング１の構造の細部を拡大して示している。まずは、バッテリーケーシング１のケーシング壁部の内側面に潜在的蓄熱要素７が配置されている。このような潜在的蓄熱要素７は、通常、実質的に、いわゆるフェーズチェンジマテリアル（英語でPhase Change Material、略してＰＣＭ）から成る。これは、次のような特性を有している。すなわち、温度が高い場合には熱を吸収し、一方規定の温度レベルを下回る場合には熱を放出する、という特性を有している。この潜在的蓄熱要素７はバッテリーケーシング１の内壁４に直に接しているので、これによって、組み込まれているバッテリーモジュールから放出された熱は直に潜在的蓄熱要素７によって吸収される、ないしは、場合によって潜在的蓄熱要素７から放出された熱は直に、バッテリーケーシング１の内部空間内に誘導される。さらに、外壁２と内壁４との間の介在空間において、内壁４に直に接している、相互に平行に延在している複数の冷却チャネル６も、バッテリーケーシング１の壁部内に組み込まれている。ここでも、冷却液が冷却チャネル６を流れる場合に、バッテリーケーシング１内に収容されているバッテリーモジュールが直接的に冷却されることが保証される。
【００３５】
図４は、バッテリーケーシング１内へのセルブロック５の固定を詳細な図面で示している。まずは、セルブロック５を固定するために、内壁４に、セルブロック５の方向に突出しているガイドレール８が取り付けられている。ここでこのガイドレール８は、対応する陥入部９内に噛み合い、セルブロック５とバッテリーケーシング１の壁部との間に、形状接続によるガイド部ないしは接続部が形成される。例えば、揺すり運動または制動運動によって生じる、バッテリーケーシングに作用する力は、記入されている力線１１に従って、バッテリーケーシング１の外部のケーシング固定部１０内に、例えば、車両のシャーシ内に導かれる。従ってこれによって、バッテリーケーシング１内のセルブロック５の確実な固定が保証される。
【００３６】
図５は、バッテリーケーシング１の長手方向断面図を示している。ここでは壁部が、場合によってはメンテナンス作業のために開放可能である。これによって例えば、損傷しているバッテリーモジュールないしは損傷しているセルブロック５を場合によって交換することが可能になる。ここでこのケーシングは、支持材料３が充填されている蓋セグメント３ａによって閉じられる。内壁側でこの蓋セグメント３ａは、フランジ蓋１３によって閉じられている。外壁側でこの蓋セグメント３ａは、外側のフランジ蓋１４によって閉じられている。このバッテリーケーシング１にも、真空密な貫通部１９が設けられている。これは、電気エネルギーの導出または測定線路の引き込みのためのものである。さらに、バッテリーケーシング１の壁部には、真空ポート１５が設けられている。これによって、適切なロッキング設備と相俟って、蓋セグメント３ａの開放後に、引き続いて、再び、バッテリーケーシング１の真空化を行うことができる。
【００３７】
図６の詳細図では、開放されるべき板部分の間の接続が、規定通りに、それぞれ、フランジシーム１６によって閉鎖されている。このフランジシームは、必要に応じて開放し、再び閉じることができる。
【００３８】
最後に図７は、セグメント化された、セルブロック５を全面で包囲しているバッテリーケーシング１を、長手方向断面図で示している。ここでこのバッテリーケーシング１は、円筒状の２つのハーフシェルから成る。これらのハーフシェルは、自身の当接エッジの領域において、周りを取り巻いている接合部１７によって相互に接続されており、例えば、ねじ接続１８によって力結合で相互に接続されている。ここでこのバッテリーケーシング１にも、真空密の貫通部１９が設けられている。
【符号の説明】
【００３９】
１  バッテリーケーシング、  ２  外壁、  ３  支持材料、  ３ａ  蓋セグメント、  ４  内壁、  ５  セルブロック、  ６  冷却チャネル、  ７  潜在的蓄熱要素、  ８  ガイドレール、  ９  陥入部、  １０  ケーシング固定部、  １１  力線、  １２  冷却リブ、  １３  フランジ蓋、  １４  外側のフランジ蓋、  １５  真空ポート、  １６  フランジシーム、  １７  周りを取り巻いている接合部、  １８  ねじ接続、  １９  貫通部
【図１】
0006265952.tif 000002
【図２】
0006265952.tif 000003
【図３】
0006265952.tif 000004
【図４】
0006265952.tif 000005
【図５】
0006265952.tif 000006
【図６】
0006265952.tif 000007
【図７】
0006265952.tif 000008